(57)【要約】【課題】ユーザにとって直感的に分かり易いキー操作によってメインチャンネルとサブチャンネルの選局を可能とする。【解決手段】ＴＶマイコン２１、画面に番組を表示している状態において、リモコン送信機４１の上キーまたは下キーが押されると、現在表示中のメインチャンネルとサブチャンネルの番号を表示し、その状態で上キーまたは下キーが押されることで、当該メインチャンネルに含まれるサブチャンネルのアップダウン切り換えを行う。また、この状態において、左キーが押されると、サブチャンネルの切り換えモードからメインチャンネルの切り換えモードに移行し、この状態で上キーまたは下キーが押されると、メインチャンネルのアップダウン切り換えを行う。【選択図】図１
2008148144.tif 000002
【特許請求の範囲】
【請求項１】
１つのメインチャンネルで複数のサブチャンネルの番組が放送できるデジタル放送を受信するテレビジョン受信装置において、
チャンネルのアップダウンキーを削除したリモコン送信機の上下左右キーを用いて、１つのメインチャンネルに含まれる複数のサブチャンネルの中から１つのサブチャンネルを選択する選択制御手段を備え、
前記選択制御手段は、画面に番組を表示している状態において、前記上キーまたは下キーが押されると、現在表示中のメインチャンネルとサブチャンネルの番号を画面に表示し、その状態で上キーまたは下キーが押されることで、当該メインチャンネルに含まれるサブチャンネルのアップダウン切り換えを行うとともに、この状態において、左キーが押されると、サブチャンネルの切り換えモードからメインチャンネルの切り換えモードに移行し、この状態で前記上キーまたは下キーが押されると、メインチャンネルのアップダウン切り換えを行うことを特徴とするテレビジョン受信装置。
【請求項２】
１つのメインチャンネルで複数のサブチャンネルの番組が放送できるデジタル放送を受信するテレビジョン受信装置において、
リモコン送信機の上下左右キーを用いて、１つのメインチャンネルに含まれる複数のサブチャンネルの中から１つのサブチャンネルを選択する選択制御手段を備え、
前記選択制御手段は、画面に番組を表示している状態において、前記上キーまたは下キーが押されると、現在表示中のメインチャンネルとサブチャンネルの番号を画面に表示し、その状態で上キーまたは下キーが押されることで、当該メインチャンネルに含まれるサブチャンネルのアップダウン切り換えを行うことを特徴とするテレビジョン受信装置。
【請求項３】
前記選択制御手段は、現在表示中のメインチャンネルとサブチャンネルの番号を表示している状態において、左キーが押されると、サブチャンネルの切り換えからメインチャンネルの切り換えモードに移行し、この状態で前記上キーまたは下キーが押されると、メインチャンネルのアップダウン切り換えを行うことを特徴とする請求項２に記載のテレビジョン受信装置。
【請求項４】
前記メインチャンネルの切り換え時には、そのメインチャンネルに含まれる最小番号のサブチャンネルの番組が画面に表示されることを特徴とする請求項３に記載のテレビジョン受信装置。
【請求項５】
前記リモコン送信機からチャンネルのアップダウンキーを削除したことを特徴とする請求項２または請求項３に記載のテレビジョン受信装置。
【発明の詳細な説明】
【技術分野】
【０００１】
本発明は、１つのメインチャンネルで複数のサブチャンネルの番組が放送できるデジタル放送の受信が可能なテレビジョン受信装置に関する。
【背景技術】
【０００２】
デジタル放送では、１つのメインチャンネルで複数の番組を同時に放送することから、サブチャンネルを設けている。番組は、サブチャンネル単位で放送される。
【０００３】
従って、ユーザは、見たい番組を選択する場合、まずメインチャンネルを選択し、その後、そのメインチャンネルの中のサブチャンネルを選択するといった操作を行うことになる。この場合、このような操作を簡単化する技術が従来から提案されている（例えば、特許文献１〜３等参照）。
【０００４】
特許文献１には、検索された副チャンネル（サブチャンネル）のそれぞれにリモコン送信機の所定のキーを割り当て、かつ主チャンネル（メインチャンネル）が選択された状態で前記所定のキーのいずれかがダブルクリックされた場合、ダブルクリックされたキーに対応する副チャンネル（サブチャンネル）を選局するように構成された選局装置が開示されている。
【０００５】
また、特許文献２には、リモコン送信機の数値キーからチャンネル選択の指示を受けたとき、その数値キーに割り当てられているメインチャンネル及び所定のサブチャンネルを選択し、その後、所定時間内に同一の数値キーが押された場合は、上または下に隣接するサブチャンネルを選択し、これにより、１つの数値キーの操作によって、任意のメインチャンネル及びサブチャンネルを選択可能としたチャンネル選択装置が開示されている。
【０００６】
また、特許文献３には、 テンキーにより、メイン／サブチャンネル変更の指示を与えるとき、“−”キーが入力されると、現在受信中のメインチャンネルを確定し、表示装置にサブチャンネルの入力待ち状態を示すＯＳＤ表示を行うことで、チャンネルの階層構造が直感的に理解でき、さらにメインチャンネルの入力ステップが簡略化されたチャンネル選択装置が開示されている。
【特許文献１】実用新案登録３０７５１０１号公報
【特許文献２】特開２００３−１８９１９９号公報
【特許文献３】特開２００２−２３２７９６号公報
【発明の開示】
【発明が解決しようとする課題】
【０００７】
上記特許文献１に記載のものは、０から１０までの数字キーを使ってチャンネルを選局する手法であり、任意の数字キーを押してまずメインチャンネルを選局し、その後、予め割り当てられている所定の数字キーをダブルクリックすることで、サブチャンネルを選局している。すなわち、ユーザは、メインチャンネルを選局した後、サブチャンネルを選局する場合に、そのメインチャンネルに含まれるサブチャンネルがどの数字キーに割り当てられているのかを記憶しておく必要があり、記憶していない場合には、所望するサブチャンネルをすぐに選局することができない場合がある。例えば、数字キーの「５」をダブルクリックしたにも係わらず、数字キーの「５」にサブチャンネルが割り当てられていなかった場合には、無駄な選局操作となってしまう。つまり、各メインチャンネルに含まれるサブチャンネルの数とそのサブチャンネルが割り当てられた数字キーとを記憶しておかなければ、迅速なチャンネル選局を行うことができず、ユーザにとってはむしろ煩わしいチャンネル選局操作になってしまうといった問題があった。また、１つのキーをワンクリックとダブルクリックという２つの押し分けによってその機能が異なることから、紛らわして操作であり、ユーザにとっては操作の途中でどの機能の操作をしていたのか混乱してしまう可能性があるといった問題もあった。
【０００８】
また、上記特許文献２に記載のものでは、一つの数値キーを押してメインチャンネル及びサブチャンネルを選択した後、所定時間内に同じキーの操作をしなければサブチャンネルのアップダウンが行えない。つまり、所定時間を経過してしまった場合には、同じキーを操作してもチャンネル切り換えを行うことができない。そのため、ユーザにとっては、チャンネル切り換えのための操作をしているつもりでも、実際には画面が切り換わらないため、誤操作と勘違いしてしまう、若しくはリモコン送信機が故障していると勘違いしてしまうといった問題があった。
【０００９】
また、上記特許文献３に記載のものでは、数値キーを用いてメインチャンネルに続きサブチャンネルを入力する場合のキーの操作回数を低減することが可能であるが、サブチャンネルを選局するときに、そのサブチャンネルの番号を数値キーを押していちいち入力しなければならず、煩わしい操作となっていた。
【００１０】
本発明はかかる実情に鑑みて創案されたもので、その目的は、ユーザにとって直感的に分かり易いキー操作によりメインチャンネルとサブチャンネルの選局を可能としたテレビジョン受信装置を提供することにある。
【課題を解決するための手段】
【００１１】
上記課題を解決するため、本発明のテレビジョン受信装置は、１つのメインチャンネルで複数のサブチャンネルの番組が放送できるデジタル放送を受信するテレビジョン受信装置において、リモコン送信機の上下左右キーを用いて、１つのメインチャンネルに含まれる複数のサブチャンネルの中から１つのサブチャンネルを選択する選択制御手段を備え、前記選択制御手段は、画面に番組を表示している状態において、前記上キーまたは下キーが押されると、現在表示中のメインチャンネルとサブチャンネルの番号を画面に表示し、その状態で上キーまたは下キーが押されることで、当該メインチャンネルに含まれるサブチャンネルのアップダウン切り換えを行うことを特徴としている。
【００１２】
また、本発明によれば、前記選択制御手段は、現在表示中のメインチャンネルとサブチャンネルの番号を表示している状態において、左キーが押されると、サブチャンネルの切り換えからメインチャンネルの切り換えモードに移行し、この状態で前記上キーまたは下キーが押されると、メインチャンネルのアップダウン切り換えを行うことを特徴としている。この場合、前記メインチャンネルの切り換え時には、そのメインチャンネルに含まれる最小番号（若しくは最大番号）のサブチャンネルの番組が画面に表示されるように構成しておけばよい。
【００１３】
このような特徴を有する本発明によれば、リモコン送信機からチャンネルのアップダウンキーを削除することが可能であり、その分、リモコン送信機のキー数を削減することができる。そのため、１個、１個のキーを大きく、もしくは間隔を広くとることができるので、ユーザにとってもより使い易いリモコン送信機を実現することができる。また、上下キーを、チャンネルのアップダウンキーと同様の感覚で使うことができるため、ユーザにとってチャンネル選局時に違和感の無い選局操作を行うことが可能となる。
【発明の効果】
【００１４】
本発明のテレビジョン受信装置によれば、リモコン送信機からチャンネルのアップダウンキーを削除することができ、その分、リモコン送信機のキー数を削減することができる。そのため、１個、１個のキーを大きく、もしくは間隔を広くとることができるので、ユーザにとってもより使い易いリモコン送信機を実現することができる。また、上下キーを、チャンネルのアップダウンキーと同様の感覚で使うことができるため、ユーザにとってチャンネル選局時に違和感の無い選局操作を行うことが可能となる。さらに、メインチャンネルとサブチャンネルの切り換えは左右キーを用いて行うため、メインチャンネルとサブチャンネルの選択、及び各チャンネルでのアップダウンを直感的に行うことができ、極めて使い勝手の良いチャンネル選局操作を実現することができる。
【発明を実施するための最良の形態】
【００１５】
以下、本発明の実施の形態について、図面を参照して説明する。
【００１６】
図１は、本実施形態に係わるテレビジョン受信装置の要部の電気的構成を示す機能ブロック図である。本実施形態のテレビジョン受信装置は、アナログ放送とデジタル放送の両方の受信が可能であるものとする。ただし、テレビジョン受信装置によるアナログ放送の映像及び音声の信号処理、及びデジタル放送の映像及び音声の信号処理については従来周知の処理であるので、ここではアナログ放送及びデジタル放送の両方の信号処理を含めてＴＶ信号処理部として簡単な機能ブロックで示している。
【００１７】
本実施形態のテレビジョン受信装置は、ＴＶ制御系２０が筐体内に格納されたもので、ＴＶ制御系２０全体を制御するＴＶマイコン２１を備えている。
【００１８】
すなわち、アナログ放送及びデジタル放送の両方のテレビジョン信号を受信するチューナ回路２２の出力は、アナログ放送及びデジタル放送の両方の信号処理を行うＴＶ信号処理部２４に接続されており、ＴＶ信号処理部２４の出力は、ＣＲＴまたは液晶パネル等のモニタ部２６に接続されている。また、ＴＶ信号処理部２４の出力は、増幅器２７を介して内部スピーカ２８に接続されている。ＴＶ信号処理部２４は、テレビジョン受信装置の各種設定を行うためのメニュー画面やチャンネル選局時のチャンネル選局画面をモニタ部２６に表示するための各種設定画面を表示するＯＳＤ回路２４ａを備えている。
【００１９】
ＴＶマイコン２１は、チューナ回路２２を介して受信したアナログまたはデジタルのテレビジョン信号を映像信号や音声信号に復号し、映像信号をモニタ部２６に表示するとともに音声信号を内部スピーカ２８から出力するＴＶ信号処理部２４を制御する。
【００２０】
また、ＴＶマイコン２１には、リモコン送信機４１からの各種操作信号を受信する受信部２５の出力が接続されている。ＴＶマイコン２１は、このリモコン送信機４１から送信されてくる各種操作信号に基づいて、ＴＶ制御系２０の動作制御を行うようになっている。
【００２１】
また、ＴＶマイコン２１にはメモリ部２９が接続されている。メモリ部２９は、オートプリセット等によって各チャンネルが設定されたチャンネルテーブルを格納している。
【００２２】
図２は、チャンネルテーブルを概念的に示した説明図である。このチャンネルテーブルには、メインチャンネルと、サブチャンネルと、その周波数とが書き込まれている。メインチャンネルが「０」となっているチャンネルはアナログチャンネルである。サブチャンネルの「１」から「５」までは、デジタルチャンネルに対応している。
【００２３】
図３は、リモコン送信機４１のキー配置構造の要部の一例を示している。
【００２４】
このリモコン送信機４１は、電源キー４１ａ、機能キー４１ｂ、テンキー４１ｃ、音量アップダウンキー４１ｅ、メニューキー４１ｆ、上下左右の各キー４１ｇ〜４１ｊ、決定キー４１ｋなどが配置されており、これ以外にも図示は省略しているが、操作に必要な種々の機能キーが配置されている。ただし、従来設けられていたチャンネルのアップダウンキーの機能は、上下左右の各キー４１ｇ〜４１ｊが担うため、本実施形態ではチャンネルアップダウンキーはリモコン送信機４１から削除されている。
【００２５】
上記したように、デジタル放送では、１つのメインチャンネルで複数の番組を同時に放送することから、サブチャンネルを設けており、通常、番組はサブチャンネル単位で放送されている。従って、ユーザは、見たい番組を選択する場合、まずメインチャンネルを選択し、その後、そのメインチャンネルの中のサブチャンネルを選択することになる。そこで、本実施形態では、このようなチャンネル選局の操作性の向上を図っている。
【００２６】
以下、本実施形態のテレビジョン受信装置におけるデジタル放送のチャンネル選局動作について、図４及び図５に示すフローチャート、及び図６に示す表示画面例を参照して説明する。
【００２７】
ＴＶマイコン２１は、受信中のテレビジョン信号（番組）をモニタ部２６に表示している状態において、リモコン送信機４１の上キー４１ｇまたは下キー４１ｈが押されると（ステップＳ１でＹｅｓと判断されると）、現在表示中のメインチャンネルとサブチャンネルの番号をモニタ部２６に表示する（ステップＳ２）。すなわち、この時点でチャンネルの切り換えモードに移行することになる。
【００２８】
図６（ａ）は、このときの表示状態を示している。図６（ａ）中の「Ｄ」は表示中の番組がデジタル放送の番組であることを示している。「Ｄ」の右横の２桁の数字「０１」はメインチャンネルのチャンネル番号を示しており、ハイフンの右側の２桁の数字「０１」は、現在受信中のサブチャンネルのチャンネル番号を示している。すなわち、図６（ａ）は、現在表示中の番組が、メインチャンネルが１チャンネルで、サブチャンネルが１チャンネルの番組であることを示している。また、サブチャンネルの番号の上下には▲と▼の印が点滅（または点灯）表示されている。従って、ユーザは、この状態で上キー４１ｇまたは下キー４１ｈを押すことで、サブチャンネルをチャンネルアップまたはチャンネルダウンできることを視覚的に認識することができる。
【００２９】
ＴＶマイコン２１は、この状態で、一定時間（例えば５秒等）の間に、上キー４１ｇ、下キー４１ｈ、左キー４１ｉのいずれかのキーが押されたかを監視する（ステップＳ３〜ステップＳ６）。その結果、一定時間が経過してもいずれのキーも押されなかった場合（ステップＳ６でＹｅｓと判断された場合）には、チャンネル選局動作を終了する（ステップＳ７）。そして、図６（ａ）に示すようなチャンネル表示を画面から消去する。
【００３０】
一方、この状態で上キー４１ｇが１回押された場合（ステップＳ３でＹｅｓと判断された場合）には、ＴＶマイコン２１は、現在表示中のサブチャンネルから隣接する一つ上のサブチャンネルにチャンネル切り換えを行う（ステップＳ８）。ここで、サブチャンネルが最大チャンネルまでチャンネルアップしていた場合には、次に上キー４１ｇが１回押されると、最小のサブチャンネルにチャンネル切り換えを行うようにする。
【００３１】
また、下キー４１ｈが１回押された場合（ステップＳ４でＹｅｓと判断された場合）には、現在表示中のサブチャンネルから隣接する一つ下のサブチャンネルにチャンネル切り換えを行う（ステップＳ９）。ここで、サブチャンネルが最小チャンネルまでチャンネルダウンしていた場合には、次に下キー４１ｈが１回押されると、最大のサブチャンネルにチャンネル切り換えを行うようにする。
【００３２】
一方、左キー４１ｉが押された場合には、サブチャンネルの切り換えモードからメインチャンネルの切り換えモードに移行する（ステップＳ１０）。図６（ｂ）は、このときの表示状態を示している。すなわち、メインチャンネルの番号の上下には▲と▼の印が点滅（または点灯）表示されている。従って、ユーザは、この状態で上キー４１ｇまたは下キー４１ｈを押すことで、メインチャンネルをチャンネルアップまたはチャンネルダウンできることを視覚的に認識することができる。
【００３３】
ＴＶマイコン２１は、この状態で、一定時間（例えば５秒等）の間に、上キー４１ｇ、下キー４１ｈ、右キー４１ｊのいずれかのキーが押されたかを監視する（ステップＳ１１〜ステップＳ１４）。その結果、一定時間が経過してもいずれのキーも押されなかった場合（ステップＳ１４でＹｅｓと判断された場合）には、チャンネル選局動作を終了する（ステップＳ７）。そして、図６（ｂ）に示すようなチャンネル表示を画面から消去する。
【００３４】
一方、この状態で上キー４１ｇが１回押された場合（ステップＳ１１でＹｅｓと判断された場合）には、ＴＶマイコン２１は、現在表示中のメインチャンネルから隣接する一つ上のメインチャンネルにチャンネル切り換えを行う（ステップＳ１５）。このとき、サブチャンネルは自動的に最小番号（若しくは最大番号）のチャンネルを選局する。例えば、図６（ｂ）に示すチャンネル表示の状態から上キー４１ｇが１回押された場合には、メインチャンネルが２チャンネルで、サブチャンネルが１チャンネルの番組を選局する。ここで、メインチャンネルが最大チャンネルまでチャンネルアップしていた場合には、次に上キー４１ｇが１回押されると、最小のメインチャンネルにチャンネル切り換えを行うようにする。
【００３５】
また、下キー４１ｈが押された場合（ステップＳ１２でＹｅｓと判断された場合）には、現在表示中のメインチャンネルから隣接する一つ下のメインチャンネルにチャンネル切り換えを行う（ステップＳ１６）。ここで、メインチャンネルが最小チャンネルまでチャンネルダウンしていた場合には、次に下キー４１ｈが１回押されると、最大のメインチャンネルにチャンネル切り換えを行うようにする。
【００３６】
一方、右キー４１ｊが押された場合には、メインチャンネルの切り換えモードからサブチャンネルの切り換えモードに移行する（ステップＳ１７）。すなわち、このときのチャンネル表示は、再び図６（ａ）の状態に戻ることになる。すなわち、サブンチャンネルの番号の上下に▲と▼の印が点滅（または点灯）表示されている。
【００３７】
このように、本発明では、上下キー４１ｇ，４１ｈによってチャンネルのアップダウン切り換えを行い、左右キー４１ｉ，４１ｊによってメインチャンネルとサブチャンネルのチャンネル切り換えを行うように構成しているので、ユーザにとっては、チャンネル操作が直感的に理解し易くなっている。
【図面の簡単な説明】
【００３８】
【図１】本発明のテレビジョン受像機の要部の電気的構成を示す機能ブロック図である。
【図２】チャンネルテーブルを概念的に示した説明図である。
【図３】リモコン送信機のキー配置構造の要部の一例を示す説明図である。
【図４】デジタル放送のチャンネル選局動作を示すフローチャートである。
【図５】デジタル放送のチャンネル選局動作を示すフローチャートである。
【図６】チャンネル選局時の表示画面例を示す説明図である。
【符号の説明】
【００３９】
２０  ＴＶ制御系
２１  ＴＶマイコン
２２  チューナ回路
２４  ＴＶ信号処理部
２４ａ  ＯＳＤ回路
２５  受信部
２６  モニタ部
２７  増幅器
２８  スピーカ
２９  メモリ部
４１  リモコン送信機
４１ａ  電源キー
４１ｂ  機能キー
４１ｃ  テンキー
４１ｅ  音量アップダウンキー
４１ｆ  メニューキー
４１ｇ  上キー
４１ｈ  下キー
４１ｉ  左キー
４１ｊ  右キー
４１ｋ  決定キー
【図１】
2008148144.tif 000003
【図２】
2008148144.tif 000004
【図３】
2008148144.tif 000005
【図４】
2008148144.tif 000006
【図５】
2008148144.tif 000007
【図６】
2008148144.tif 000008